(57)【要約】【課題】コストダウンを図りつつスペース効率の改善を図ることができるスライド移動構造を提供する。【解決手段】電子機器本体のシャーシ２と、電子機器本体の内部の収納位置と電子機器本体の外部の展開位置との間を駆動されてスライド状に移動する可動部３と、可動部３に搭載され、駆動源及び該駆動源により駆動されるピニオンギアを有する駆動部４と、ピニオンギアと噛み合うラックギア７ａ、及び、可動部３を支持し、収納位置と展開位置との間で移動可能に案内するためにラックギア７ａの側面側に形成されたガイド溝７ｂ、を有し、シャーシ２に固定された樹脂製のラック部材７と、可動部３に設けられ、ガイド溝７ｂ内に摺動可能に遊嵌された、当該可動部３の移動方向に所定長さを有するフレーム曲げ部３ａと、を備え、可動部３は、ガイド溝７ｂへのフレーム曲げ部３ａの遊嵌によって、シャーシ１に支持されている。【選択図】図１２
2014135689.tif 000002
【特許請求の範囲】
【請求項１】
電子機器本体のシャーシと、
前記電子機器本体の内部の収納位置と前記電子機器本体の外部の展開位置との間を駆動されてスライド状に移動する可動部と、
前記可動部に搭載され、駆動源及び該駆動源により駆動されるピニオンギアを有する駆動部と、
前記ピニオンギアと噛み合うラックギア、及び、前記可動部を支持し、前記収納位置と前記展開位置との間で移動可能に案内するために前記ラックギアの側面側に形成されたガイド溝、を有し、前記シャーシに固定された樹脂製のラック部材と、
前記可動部に設けられ、前記ガイド溝内に摺動可能に遊嵌された、当該可動部の移動方向に所定長さを有するフレーム曲げ部と、を備え、
前記可動部は、前記ガイド溝への前記フレーム曲げ部の遊嵌によって、前記シャーシに支持されている
ことを特徴とするスライド移動機構。
【請求項２】
さらに、前記シャーシに形成された複数のシャーシ曲げ部を備え、
前記ラック部材は、前記複数のシャーシ曲げ部により前記シャーシの重力方向下方から支持されていることを特徴とする請求項１記載のスライド移動機構。
【請求項３】
前記シャーシは、前記可動部が移動するどの位置であっても、重力方向において、前記複数のシャーシ曲げ部の何れかが前記フレーム曲げ部に重なるように、前記複数のシャーシ曲げ部が配置され、
前記可動部は、前記ガイド溝への前記フレーム曲げ部の遊嵌によって、前記シャーシの重力方向下方につり下げられている
ことを特徴とする請求項２記載のスライド移動機構。
【請求項４】
前記ラック部材は、固定手段により前記シャーシに固定されると共に、その固定位置が、前記シャーシの前記展開位置側の端部付近において少なくとも２箇所、前記収納位置側の端部付近において少なくとも１箇所設けられている
ことを特徴とする請求項１から３の何れか１項に記載のスライド移動機構。
【請求項５】
前記ラック部材は、前記固定手段により前記シャーシに固定されると共に、当該固定手段の固定位置が前記ラック部材のガイド溝の近傍に配置されていることを特徴とする請求項１から４の何れか１項に記載のスライド移動機構。
【発明の詳細な説明】
【技術分野】
【０００１】
本発明は、例えば電子機器におけるスライド移動機構に関する。
【背景技術】
【０００２】
従来、収納されているディスプレイが、電動で機器本体内部から水平にスライドして突出した後、左右方向の軸を中心に回転して立ち上がり、表示部画面がユーザに向くようにした展開状態で保持され、その状態で、各種情報が表示部画面に表示されて使用される形態の電子機器がある。このような電動開閉式のディスプレイを有する電子機器において、可動部は、例えば液晶ディスプレイ等のディスプレイ及び駆動機構などを含むため、重量がかなりあり、可動部をスライド動作可能に支持する支持構造も必然的に強度が必要である。そのため、スライド移動のためのレール部材などは、断面がＵ字状に曲げられた板金で作られており、デッドスペースが生じてしまう分スペース効率がよくなかった（特許文献１参照。）
【先行技術文献】
【特許文献】
【０００３】
【特許文献１】特開平１０−２７１４１３号公報
【発明の概要】
【発明が解決しようとする課題】
【０００４】
ディスプレイが、スライド動作及び展開状態で保持される必要があり、また、タッチパネルをディスプレイに搭載する場合には、ユーザが指で表示部画面を触ることになるため、構造的に強度が重要になる。さらに、電子機器が車載用の場合には、走行時の振動が加わることも考慮しなければならない。そのため、従来製品では、板金製のレールや、回転ローラ部材等を使用しており、展開状態でも、ディスプレイを確実に保持できるが、コストが高く、また、スペース効率が悪いなどの課題があった。
【０００５】
そこで、本発明の目的は、コストダウンを図りつつスペース効率の改善を図ることができるスライド移動機構を提供することにある。
【課題を解決するための手段】
【０００６】
前述した課題を解決し目的を達成するために、請求項１に記載の本発明のスライド移動機構は、
電子機器本体のシャーシと、
前記電子機器本体の内部の収納位置と前記電子機器本体の外部の展開位置との間を駆動されてスライド状に移動する可動部と、
前記可動部に搭載され、駆動源及び該駆動源により駆動されるピニオンギアを有する駆動部と、
前記ピニオンギアと噛み合うラックギア、及び、前記可動部を支持し、前記収納位置と前記展開位置との間で移動可能に案内するために前記ラックギアの側面側に形成されたガイド溝、を有し、前記シャーシに固定された樹脂製のラック部材と、
前記可動部に設けられ、前記ガイド溝内に摺動可能に遊嵌された、当該可動部の移動方向に所定長さを有するフレーム曲げ部と、を備え、
前記可動部は、前記ガイド溝への前記フレーム曲げ部の遊嵌によって、前記シャーシに支持されている
ことを特徴とする。
【図面の簡単な説明】
【０００７】
【図１】本発明の実施の形態に係るスライド移動機構を用いた電子機器の車内取り付け状態を示す模式的な斜視図である。
【図２】本発明の実施の形態に係るスライド移動機構を用いた電子機器におけるディスプレイの収納状態での本体の内部構造を示す透視的な側面図である。
【図３】本発明の実施の形態に係るスライド移動機構を実施した電子機器の部分分解斜視図である。
【図４】フルオープン状態にある図３の電子機器を裏側から見た斜視図である。
【図５】電子機器における可動部とディスプレイ取付部の連結部分を示す斜視図である。
【図６】電子機器本体における第１シャーシの裏側を示す平面図である。
【図７】第１シャーシに固定されるラック部材の斜視図である。
【図８】電子機器の可動部に設けられるフレーム曲げ部を示す部分斜視図である。
【図９】レール溝と該レール溝内を摺動するフレーム曲げ部を説明する斜視図である。
【図１０】フルオープン状態にある電子機器を表側から見た平面図である。
【図１１】図１０におけるＡ−Ａ線断面図である。
【図１２】図１０におけるＢ−Ｂ線断面図である。
【図１３】（ａ）は、図４の電子機器の展開状態を示す斜視図、（ｂ）は、電子機器の収納状態を示す斜視図である。
【図１４】ディスプレイの排出動作を説明するための模式的な斜視図であり、ディスプレイが本体に収納された状態を示す図である。
【図１５】ディスプレイの排出動作を説明するための模式的な斜視図であり、ディスプレイが本体から外部に排出された状態を示す図である。
【図１６】ディスプレイの展開動作を説明するための模式的な斜視図であり、ディスプレイが立ち上げられた状態を示す図である。
【発明を実施するための形態】
【０００８】
以下、本発明の実施形態を説明する。本発明の実施形態に係るスライド移動機構は、電子機器本体のシャーシと、前記電子機器本体の内部の収納位置と前記電子機器本体の外部の展開位置との間を駆動されてスライド状に移動する可動部と、前記可動部に搭載され、駆動源及び該駆動源により駆動されるピニオンギアを有する駆動部と、前記ピニオンギアと噛み合うラックギア、及び、前記可動部を支持し、前記収納位置と前記展開位置との間で移動可能に案内するために前記ラックギアの側面側に形成されたガイド溝、を有し、前記シャーシに固定された樹脂製のラック部材と、前記可動部に設けられ、前記ガイド溝内に摺動可能に遊嵌された、当該可動部の移動方向に所定長さを有するフレーム曲げ部と、を備え、前記可動部は、前記ガイド溝への前記フレーム曲げ部の遊嵌によって、前記シャーシに支持されていることを特徴とするスライド移動機構である。それにより、コストダウンを図りつつスペース効率の改善を図ることができるスライド移動構造が得られる。
【０００９】
さらに、前記シャーシに形成された複数のシャーシ曲げ部を備え、前記ラック部材は、前記複数のシャーシ曲げ部により前記シャーシの重力方向下方から支持されていてもよい。それにより、樹脂製のラック部材でありながら、シャーシ曲げ部によって強度が補完され高い強度が得られる。
【００１０】
前記シャーシは、前記可動部が移動するどの位置であっても、重力方向において、前記複数のシャーシ曲げ部の何れかが前記フレーム曲げ部に重なるように、前記複数のシャーシ曲げ部が配置され、前記可動部は、前記ガイド溝への前記フレーム曲げ部の遊嵌によって、前記シャーシの重力方向下方につり下げられていてもよい。それにより、つり下げにおいて、剛性がアップし、フレーム曲げ部とシャーシ曲げ部が重なり、その点で重量を支持することができ、前記可動部が移動するどの位置であっても、可動部がシャーシにしっかりと支持される。
【００１１】
前記ラック部材は、固定手段により前記シャーシに固定されると共に、その固定位置が、前記シャーシの前記展開位置側の端部付近において少なくとも２箇所、前記収納位置側の端部付近において少なくとも１箇所設けられていてもよい。それにより、シャーシの展開位置側の端部付近においてラック部材がシャーシの前記収納位置側の端部付近より強固に固定されているので、例えば、可動部の展開位置側の端部にディスプレイが取り付けられている場合に、当該ディスプレイの立ち上げ等により当該展開位置側の端部に負荷が集中してもラック部材の取付強度が保たれる。
【００１２】
前記ラック部材は、固定手段により前記シャーシに固定されると共に、当該固定手段の固定位置が前記ラック部材のガイド溝の近傍に配置されていてもよい。それにより、ラック部材の固定が強固になる。
【実施例】
【００１３】
以下、本発明の一実施形態について具体的に説明する。図１は、本発明の実施の形態に係るスライド移動機構を用いた電子機器の車内取り付け状態を示す模式的な斜視図、図２は、本発明の実施の形態に係るスライド移動機構を用いた電子機器におけるディスプレイの収納状態での本体の内部構造を示す透視的な側面図、図３は、本発明の実施の形態に係るスライド移動機構を実施した電子機器の部分分解斜視図、図４は、フルオープン状態にある図３の電子機器を裏側から見た斜視図、図５は、電子機器における可動部とディスプレイ取付部の連結部分を示す斜視図、図６は、電子機器本体における第１シャーシの裏側を示す平面図、図７は、第１シャーシに固定されるラック部材の斜視図、図８は、電子機器の可動部に設けられるフレーム曲げ部を示す部分斜視図、図９は、レール溝と該レール溝内を摺動するフレーム曲げ部を説明する斜視図、図１０はフルオープン状態にある電子機器を表側から見た平面図、図１１は、図１０におけるＡ−Ａ線断面図、図１２は、図１０におけるＢ−Ｂ線断面図、図１３（ａ）は、図４の電子機器の展開状態を示す斜視図、図１３（ｂ）は図４の電子機器の収納状態を示す斜視図である。
【００１４】
図１及び図２に示すように、電子機器は、車内のコンソールボックスやダッシュボード等に載置される本体１と、本体１から出没して画像情報等の情報を表示するディスプレイ２１と、を主たる構成要素として備えている。ディスプレイ２１は、図２に示すように、本体１内に収納可能に構成されると共に、本体１内に設けられた可動部３に搭載された駆動部４（後述する）により、本体１内においてスライド移動可能かつ外部においてチルト移動可能に構成されている。
【００１５】
図２に示すように、本体１は、対向配置された天板及び底板と、これらの外周に連続して配置された左右の側板及び背板と、によって構成された四角い箱形形状を有し、正面が開口されている。本体１の内部には、不図示の第２シャーシに取り付けられたディスク再生装置４が、底面側に配置されている。ディスク再生装置４は、従来のディスク再生装置と同様の構成を有しており、ここでは説明を省略する。
【００１６】
図１及び図２に示すように、本体１の正面（すなわち、開口側）には、ディスク再生装置４が配設された部分を覆うように、正面カバーであるグリル３０が取り付けられている。
【００１７】
グリル３０の正面には、車載用電子機器の動作を制御するための各種の入力設定手段（例えば、ツマミ３１）が設けられている。また、グリル３０の正面には、水平方向に所定の幅でディスク挿入口３２（図１参照）が形成されている。
【００１８】
図１に示すように、ディスプレイ２１は、液晶表示ディスプレイ等からなり、ナビゲーション地図画面やテレビ画面等の画像情報や文字情報が、表示画面２３に表示される。ディスプレイ２１は、四角い箱形の筐体内に収納配置された構成を有する。筐体は、ディスプレイ２１の裏面及び側面全体を覆うと共に、表示画面２３の外周を枠材６で囲んで構成されている。なお、表示画面２３を囲む枠状の部分を、枠材６と呼ぶ。枠材６は、四角形状の表示画面２３の縁部に沿って配置されている。
【００１９】
枠材６は、表示画面２３の縁部に配置されていることから、ディスプレイ２１の側面視において表示画面２３より突出している。そして、特に、表示画面２３の上辺に沿って配置された枠材６（以下、これを上辺枠材６ａと呼ぶ。）は、他の３辺に配置された枠材６ｂよりも厚く形成されており、よって、他の３辺の枠材６ｂに比べて表示画面２３から大きく突出している。なお、ここでは、表示画面２３の面と枠材（６ａ、６ｂ）表面の面との距離を枠材６ａ，６ｂの厚さと呼ぶ。
【００２０】
本体１内上部のディスプレイ収納空間内に収納されたディスプレイ２１は、表示面２３を下側に向け、水平に配置されている。かかる状態では、上辺枠材６ａが配置されたディスプレイ２１の上端部が、本体正面に位置される。
【００２１】
ディスプレイ２１の本体背面側には、可動部３が配置されている。可動部３には後述する駆動部４が搭載されている。この駆動部４によって、ディスプレイ２１は、主としてディスプレイ収納空間を前後にスライド移動すると共に、本体１の外部において、表示を見やすい角度までチルト移動することが可能となっている。
【００２２】
なお、ここでは、本体正面側を展開側及び本体背面側を収納側とし、前方に向かうスライド移動（すなわち、展開動作）を前進、後方に向かうスライド移動（すなわち、収納動作）を後退と定義している。
【００２３】
電子機器１は、図３、図４に示すように、金属製の第１シャーシ２と、該筐体の第１シャーシ２にスライド移動可能に取り付けられる可動部３と、該可動部３に搭載されている駆動部４と、可動部３にチルト移動可能に連結されるディスプレイ取付部５と、該ディスプレイ取付部５に取り付けられる枠体６と、を含んで構成される。ディスプレイ取付部５には、表示画面２３が枠体６の開口部６ｃから露出される、液晶ディスプレイ等のディスプレイが取り付けられている。可動部３、駆動部４、ディスプレイ取付部５、枠体６が取り付けられた第１シャーシ２は、下側の第２シャーシ（不図示）と結合されて箱状に形成され、その外形が電子機器の本体１の内面に沿うように収容される。駆動部４は、いずれも図示しない、駆動源としてのモータと、モータの回転を伝達するギア等の伝達機構と、伝達機構を介してモータの回転が伝達されるピニオンギアと、ディスプレイ２１のスライド移動量及びチルト角度を検出すると共に、検出結果に基づいてモータの回転を制御する制御手段と、を含む。
【００２４】
図５に示すように、可動部３とディスプレイ取付部５は、可動部３の展開側端部から突出した突出部３ｂと、ディスプレイ取付部５の収納側端部付近に設けられた連結部材１３と、を支点シャフト１４で連結すると共に、この支点シャフト１４に取り付けられ、ディスプレイ取付部５をディスプレイが立ち上がる方向に付勢するねじりコイルばね１５が取り付けられている。
【００２５】
図６に示すように、第１シャーシ２には、その周壁に沿って樹脂製のラック部材７が固定されている。ラック部材７は、図７に示すように、駆動部４のピニオンギアと噛み合うラックギア７ａと、可動部３を支持すると共に、可動部３を収納位置と展開位置との間で移動可能に案内するためにラックギア７ａの一方の側面側に形成されたガイド溝７ｂと、を有する。ラック部材７は、図６に示すように、第１シャーシ２に、その展開位置側の端部付近（端部から離れても固定強度が保たれる場所は、「付近」に含む。以下同様。）において２箇所、反対側（収納位置側）の端部付近において一箇所、ネジ９等の固定手段で固定されている。固定手段は、ネジ９に限らず、加締め等従来の各種固定手段を採用することができる。でもよい。ラック部材７は、さらに、第１シャーシ２から切り起こされたシャーシ曲げ部２ａによっても第１シャーシ２に支持され、固定されている。シャーシ曲げ部２ａは、所定の間隔をおいて複数個（本実施の形態では５個）設けられている。ラック部材７は、複数のシャーシ曲げ部２ａによりシャーシ２の重力方向下方から支持されているので、樹脂製のラック部材７でありながら、シャーシ曲げ部２ａによって強度が補完され高い強度が得られる。
【００２６】
図８、図９、図１１及び図１２に示すように、可動部３には、そのフレームから曲げて所定の長さに設定され、ラック部材７のガイド溝７ｂ内に摺動可能に遊嵌されるフレーム曲げ部３ａが設けられている。可動部３がスライド移動するどの位置であっても、複数のシャーシ曲げ部２ａのうち少なくとも１つ、またはネジ９の座面が、可動部３の移動方向においてフレーム曲げ部３ａに重なるように（好ましくは、重なりが所定長さの範囲内になるように）、シャーシ曲げ部２ａ及びネジ９が配置されている。第１シャーシ２は、例えば電気亜鉛メッキ鋼板等の金属製であり、枠体６、ラック部材７は、例えばアセタール樹脂等の樹脂製である。
【００２７】
上記の構成により、可動部３及びディスプレイ取付部５は、ラック部材７のガイド溝７ｂへのフレーム曲げ部３ａの遊嵌によって、第１シャーシ２の下につり下げられた状態で支持される。このとき、ラック部材７には、可動部３及びディスプレイ取付部５の重量がかかる。しかし、ラック部材７は、ネジ９のほかに複数のシャーシ曲げ部２ａでも支えられるので、樹脂製にもかかわらず、可動部３及びディスプレイ取付部５をしっかりと支持することができる。すなわち、つり下げにおいて、剛性がアップし、フレーム曲げ部３ａとシャーシ曲げ部２ａが重なり、その点で重量を支持することができ、可動部３が移動するどの位置であっても、可動部３がシャーシ２にしっかりと支持される。
【００２８】
上記のような構成になっており、可動部３に搭載されているモータを駆動すると、モータの回転により伝達機構を介してピニオンギアが回転する。ピニオンギアが回転すると、ラック部材７のラックギア７ａとの噛み合いにより、図１３に示すように、可動部３は、収納位置（図１３（ｂ））から展開位置（図１３（ａ））まで移動する。さらに、ディスプレイ取付部５を、取り付けられたディスプレイが視認できる位置までチルト移動させることができる（図１参照）。また、モータを逆回転させると、ディスプレイ取付部５は、ディスプレイが水平になるまでチルト移動された後、可動部３が展開位置（図１３（ａ））から収納位置（図１３（ｂ））まで移動し、ディスプレイが収納される。
【００２９】
次に、ディスプレイ２１の展開動作及び収納動作について説明する。
【００３０】
まず、図１４に示すように、本体１に収納されたディスプレイ２１を出没させる際には、グリル３０の正面に配設された不図示の入力設定手段に入力を行い、可動部３を駆動させる。具体的には、可動部３に搭載されている駆動部４を駆動させ、その駆動力を不図示のギア等の伝達手段を介して、可動部３に伝達する。それにより、図１５に示すように、ディスプレイ２１が、可動部３と共に本体１内のガイド溝７ｂに沿って前方に向かって水平にスライド移動して外部に排出される。
【００３１】
ここで、このようなディスプレイ２１及び可動部３のスライド移動では、本体１内に配設された不図示の位置センサ等の位置検出手段によって、ディスプレイ２１の移動位置が検出される。そして、この検出情報に基づいて、不図示の制御手段により駆動部４が制御される。それにより、所定の展開位置で可動部３のスライド移動を停止させることが可能となる。
【００３２】
ディスプレイ２１が本体１の外部に排出された後、図１６に示すように、排出時に最前に位置されたディスプレイ２１の上端が頂部にくるよう、駆動部４が、ディスプレイ２１をチルト移動させる。それにより、ディスプレイ２１の立ち上げが行われて、表示面２３が使用者に対向するように正面に配置される。以上のように、ディスプレイ２１の展開動作及び立ち上げ動作により、ディスプレイがフルオープン位置またはセットバック位置に出没する。セットバック位置とは、ディスプレイがフルオープン位置よりも若干戻ってインダッシュパネルに近づいた位置である。
【００３３】
一方、ディスプレイ２１の使用が済んだら、再び不図示の入力設定手段により入力を行う。それにより、上記とは逆の順序で逆向きの各動作が行われ、外部に出没していたディスプレイ２１が、可動部３と共に再び本体１に収納される。すなわち、ディスプレイ２１の収納動作では、まず、ディスプレイ２１が表示画面２３を下に向けて水平に寝た状態となるように、ディスプレイ２１の上端部を排出時の位置まで下げる、上記とは逆向きのチルト移動が実施される。続いて、ディスプレイ２１及び可動部３を上記とは逆に後方にスライド移動させて元の収納位置まで後退させる。
【００３４】
本実施の形態によれば、第１シャーシ２に固定された樹脂製のラック部材７のラックギア７ａの側面にガイド溝７ｂを設け、可動部３に設けられたフレーム曲げ部３ａをガイド溝７ｂへ摺動可能に遊嵌させ、樹脂製ラック部材７の第１シャーシ２への固定方法を工夫することによって、可動部３が第１シャーシ２に支持されるように構成したので、従来の板金製レール部材を使わず、樹脂製のラック部材で代用可能となった。このように、構造を工夫したので、強度的に満足させながら、コストダウン、大幅なスペース効率の改善、軽量化、部品点数削減を図ることができた。
【００３５】
なお、上述した実施の形態は本発明の代表的な形態を示したに過ぎず、本発明は、本実施の形態に限定されるものではない。即ち、本発明の骨子を逸脱しない範囲で種々変形して実施することができる。かかる変形によってもなお本発明の構成を具備する限り、勿論、本発明の範疇に含まれるものである。
【００３６】
例えば、上述の実施の形態では、ラック部材７の固定は、ネジ９及び第１シャーシ２のシャーシ曲げ部２ａで行っているが、ネジ９の数を削減するためにシャーシ曲げ部２ａで代用するか加締め等の別の固定手段で固定するようにしてもよい。
【００３７】
また、上述の実施の形態では、第１シャーシ２に、その展開位置側の端部付近において２箇所、反対側（収納側）の端部付近において１箇所、ネジ９等の固定手段で固定されているが、これに限らず、その展開位置側の端部付近において３箇所以上、反対側（収納側）の端部付近において２箇所以上でもよく、要するに、ディスプレイの立ち上げ等により負荷が集中する本体のシャーシの展開側端部付近において、ラック部材が筐体の収納側端部付近より強固に固定されるようにしてもよい。勿論、強度的に満足できるのであれば固定手段の数に限定はなく、本実施の形態より少ない数（０個を含む）としても構わない。
【００３８】
また、上述の実施の形態では、本発明をディスプレイを移動させる電子機器に適用した場合について説明したが、ディスプレイ以外のものを移動させる電子機器にも適用可能である。
【００３９】
また、上述の実施の形態では、本発明を車載用電子機器に適用した場合を例示したが、本発明はこれ以外の電子機器にも適用可能である。
【符号の説明】
【００４０】
１    本体
２    第１シャーシ
２ａ  シャーシ曲げ部
３    可動部
３ａ  フレーム曲げ部
４    駆動部
５    ディスプレイ取付部
７    ラック部材
７ａ  ラックギア
７ｂ  ガイド溝
９    ネジ（固定手段）
【図１】
2014135689.tif 000003
【図２】
2014135689.tif 000004
【図３】
2014135689.tif 000005
【図４】
2014135689.tif 000006
【図５】
2014135689.tif 000007
【図６】
2014135689.tif 000008
【図７】
2014135689.tif 000009
【図８】
2014135689.tif 000010
【図９】
2014135689.tif 000011
【図１０】
2014135689.tif 000012
【図１１】
2014135689.tif 000013
【図１２】
2014135689.tif 000014
【図１３】
2014135689.tif 000015
【図１４】
2014135689.tif 000016
【図１５】
2014135689.tif 000017
【図１６】
2014135689.tif 000018